(57)【要約】      （修正有）【課題】各種茶葉を入れて茶を抽出するように各種コップ状容器に着脱式または一体式で取り付けたローダーを具備した茶こし茶器構造体を提供する。【解決手段】各種コップ状の蓋５を有する容器３と該容器３に茶葉４を装填する茶こし具１１、該茶こし具１１の上端開口部を開閉するように着脱可能に係合され、その上端面中央から蓋５の下部面まで延びている支持棒９を具備する覆い部からなるローダー１０を具備する。ローダー１０は、茶を抽出するフィルターとして円筒部に複数の茶こし穴１７を形成した茶こし壁１３と、該茶こし壁１３の下部の中心部に接して所定部位に複数の茶こし穴を形成した下部面と、茶こし具１１の上部面を覆ってその中心には上部に一体に突出して容器３内に位置される茶こし具１１を蓋５と共に支持する支持棒９を具備した蓋部と、茶こし具１１の下部から突出した下敷部で構成する。【選択図】図２
2007296307.tif 000002
【特許請求の範囲】
【請求項１】
使い捨てコップや各種コップ状の容器と、該容器の上部開口を覆う蓋と、所定量の茶葉を内部に収容する茶こし具とを具備し、湯を茶こし具の開口部に注ぎ、茶が染み出るようにする茶器構造体において、
前記容器内に所定量の茶葉を装填した状態で設けられるローダーを具備し、
前記ローダーは、茶を抽出するフィルターとして機能するように円筒部に複数の茶こし穴を形成して茶の抽出を可能にする茶こし壁と、該茶こし壁の下部の中心部に接して所定部位に複数の茶こし穴を形成した下部面とからなる茶こし具；
茶こし具の上部面を覆って、その中心には上部に一体に突出して、容器内に位置する茶こし具を蓋と共に支持する支持棒を具備した蓋部と；
茶こし具の下部から突出して、容器の下部面と同下部面との間に所定間隔を維持する下敷部と；から構成したことを特徴とする茶器構造体。
【請求項２】
茶こし具に蓋部が被さって固定されるように、茶こし壁の上端部と蓋部の開口端部には係合手段として相互対応する複数の凹溝と突起が形成されたことを特徴とする請求項１に記載の茶器構造体。
【請求項３】
茶こし具の茶こし壁と下部面に所定配列に形成された茶こし穴は、円形の代わりに長孔のスロット形状で放射状に配列されるようにしたことを特徴とする請求項１に記載の茶器構造体。
【請求項４】
茶こし具の下部面に形成した下敷部は、脚部、突起と拡張部のうち、いずれかの手段であることを特徴とする請求項１に記載の茶器構造体。
【請求項５】
ローダーは、スペーサーによって容器内に位置し、前記スペーサーは容器の内側壁部から一体に突出した突起と、茶こし具の側面に形成された半円状及び六面体状の突起とからなることを特徴とする請求項１に記載の茶器構造体。
【請求項６】
茶こし具は、茶葉を装填した単一体の密封体であり、茶こし壁には茶こし穴が所定形状に配列されることを特徴とする請求項１に記載の茶器構造体。
【請求項７】
使い捨てコップや各種コップ状の容器と、該容器の上部開口を覆う蓋と、所定量の茶葉を内部に収容する茶こし具とを具備し、湯を茶こし具の開口部に注ぎ、茶が染み出るようにする茶器構造体において、
前記容器内に所定量の茶葉を装填した状態で設けられるローダーを具備し、
前記ローダーは、茶葉を内蔵する深さで湯があふれないようにした遮断壁と、その上には円筒部に複数の茶こし穴を形成して湯があふれるようにして、茶の抽出が可能にした茶こし壁と、中心部に接して所定部位に複数の茶こし穴が形成され、茶こし壁の底部を提供する下部面と、該下部面の円周縁に延びて容器の壁部に接して染み出た茶の回収のための複数の第１回収孔を形成した第１延長部と、第１延長部の円周縁で複数の所定部位から延びて茶器の壁部に密着して支持されるようにした一つ以上の第１固定部とからなる下部壁を具備する茶こし具と；
該茶こし具の上部に湯がその内部に装填された茶葉の上に供給されるように複数の流入穴を形成し、その中心に所定高さに突出して容器の蓋と接触することで、茶こし具を支持するように形成した支持棒を具備した上部面と、上部面の外周縁から下方に延びて茶こし壁の上部と係合するようにしたフランジと、上部面からフランジを経て延び、容器壁部に接して形成されて染み出た茶を回収する複数の第２回収孔を具備した第２延長部と、第２延長部の円周縁で所定部位から延び、茶器の壁部に密着して支持されるようにした一つ以上の第２固定部とからなる蓋部と；から構成したことを特徴とする茶器構造体。
【請求項８】
容器の円筒部にほぼ中間部位から上方に円弧状の壁部に沿って延びて、バスケット状の容器になるローダーを具備したことを特徴とする請求項７に記載の茶器構造体。
【請求項９】
茶器の円筒部にほぼ中間部位から上方に円弧状の壁部に沿って延びて、バスケット状の容器になる茶こし具と、該茶こし具の上端から延び、茶器の壁部に円弧上に固定されてローダーを支持する支持上端部と、から構成されることを特徴とする請求項７に記載の茶器構造体。
【請求項１０】
使い捨てコップや各種コップ状の容器と、該容器の上部開口を覆う蓋と、所定量の茶葉を内部に収容する茶こし具とを具備し、湯を茶こし具の開口部に注ぎ、茶が染み出るようにする茶器構造体において、
前記容器内に所定量の茶葉を装填した状態で設けられるローダーを具備し、
前記ローダーは、容器の蓋に支持され、その中心に湯を供給することができる切取部が形成され、その下部に外周縁に沿って所定長さに連設される係合溝を有する栓部と；
円筒状胴体になり、その上端には栓部の係合溝に係合する係合突起が内周縁に沿って形成されており、中心部に接して所定部位に複数の茶こし穴が形成され、胴体の底部を形成する下部面と、該下部面の円周縁から壁部に沿って延び、所定高さ部には茶こし穴が形成されずに茶葉との接触を防止する遮断壁と、該遮断壁の上に所定高さまで円筒部に沿って延び、該円筒部には複数の茶こし穴を形成して、茶の抽出を可能にする茶こし壁とからなる茶こし具と；から構成したことを特徴とする茶器構造体。
【発明の詳細な説明】
【技術分野】
【０００１】
本発明は茶の抽出に関するもので、より詳細には、緑茶などの各種茶葉を入れて茶を抽出するように使い捨てコップを含む各種コップ状容器に着脱式または一体式で取り付けたローダー（Ｌｏａｄｅｒ）を具備する茶こし茶器構造体に関するものである。
【０００２】
ここで、ローダーは茶こし器の機能を行うもので、茶葉を装填した状態で各種の茶を飲用するためのコップに、本発明の技術的概念によって一体式または着脱式に取り付ける新しい構造として符合する茶器構造体の一つの要素として理解される。
【背景技術】
【０００３】
従来は緑茶などの茶葉を抽出する方式として、コップに茶こし具（Ｓｔｒａｉｎｅｒ）を設けて、茶葉を茶こし具に装填した後、熱い湯を茶葉の上に注いで茶を抽出する方式であった。
【０００４】
図１を参照すれば、緑茶などのハーブ茶葉を抽出する通常のコップが示されている。このコップ１は基本的に、容器３、蓋５及び、これらの容器３と蓋５との間に位置する茶こし具２で構成され、この茶こし具２の上端には、その上縁部から外方に延びるフランジ６が形成される。この茶こし具２は容器３の壁部の上端部にそのフランジ６が位置し、茶葉４を入れることのできる容器３より直径及び容積が小さいまた別の容器の形態を取っている。この茶こし具２は、その胴体を構成する円筒壁と下部面に複数の茶こし穴７が所定配列に形成される。
【０００５】
したがって、コップ１を使う時、先に容器３の上に茶こし具２を載せて、その中に適正量の茶葉４を入れた後、熱い湯を注いで一次で茶を抽出しながら所定高さまで満たす。それ以降、蓋５を覆って、一定時間の間待機して茶葉４を二次で抽出する方式で茶こしされたハーブ茶を作って吟味する。
【０００６】
しかし、このようにコップ１を利用して茶葉４を直接的に抽出する伝統的な方式は、茶こし具２のない一般的な湯飲みやコップを利用する場合、充分に染み出た茶を作ることができない。また、茶こし具２は、それを適用したり設けるための専用コップ１を具備しなければならない煩わしさがある。また、茶こし具２は、その深みに一定の限界があるため、湯８を少なく注いだ場合、茶葉４を充分に抽出することができない使用上の問題点があった。
【０００７】
他の方法としては、茶葉をティーバッグ形態に包装して使い捨てコップや他のコップにこのティーバッグを直接入れて抽出する方式があり、その便利性によって多く愛用されている。しかし、このように茶葉を濾紙に包装したティーバッグ製品を使う場合、ティーバッグをコップに浸して茶葉から茶の成分が充分に抽出されるべきであるが、ティーバッグの低い抽出性能によって、茶本来の味を充分に出すことができず、茶の味を半減させる短所を有している。
【０００８】
さらに、通常の茶こし具を内蔵したコップの構造は、茶を飲もうとする場合、湯を注いで茶葉を抽出する過程で湯と茶葉が長い間接触した状態で飲用する構造になっている。このような構造は茶葉のうち緑茶葉やジャスミン葉を抽出した後、それら固有の残りの苦味がそのまま飲用者に伝わるため、茶の味が低下する結果になる。
【０００９】
このような問題によって、コップや使い捨てコップまたは容器などに別体または一体に茶こし具を装着して茶葉などの内容物を充分に抽出し、飲む時は茶の本来の味を毀損させず維持できることが非常に望ましい。
【００１０】
また、茶こし後に茶の固有の苦い後味を最小化するように茶こし具がコップに設けられる構造になることが非常に望ましい。
【発明の開示】
【発明が解決しようとする課題】
【００１１】
本発明は前述した問題に鑑みてなされたもので、その主目的は緑茶などの各種茶葉を入れて使い捨てコップを含む各種コップ状の容器に着脱式または一体式で設けて、茶こしができるようにするローダーを具備した茶こし茶器構造体を提供することにある。
【００１２】
本発明の他の目的は、各種茶葉のうち、特に緑茶葉及びジャスミン葉を入れて使い捨てコップを含む各種コップ状容器に着脱式または一体式で設けて、茶をこして残る苦味を回避することができるようにするローダーを具備する茶器構造体を提供することにある。
【課題を解決するための手段】
【００１３】
このような目的を達成するために、本発明に係る茶器構造体は、使い捨てコップや各種コップ状の蓋を有する容器と、該容器に茶葉を装填して安定的に収納されるように複数の茶こし穴が所定配列に形成された茶こし壁と下部壁とからなった茶葉を収容する茶こし具と、該茶こし具の上端開口部を開閉するように着脱可能に係合され、その上端面中央から蓋の下部面まで延びている支持棒を具備する覆い部とからなるローダーを具備する。
【００１４】
本発明の好ましい実施形態によれば、茶器構造体は、使い捨てコップや各種コップ状の容器と、該容器の上部開口を覆う蓋と、所定量の茶葉を内部に収容し、湯を注いで茶が染み出るようにするローダーを具備し、前記ローダーは、茶を抽出するフィルターとして機能するように円筒部に複数の茶こし穴を形成して茶の抽出を可能にする茶こし壁と、該茶こし壁の下部の中心部に接して所定部位に複数の茶こし穴を形成した下部面とからなる茶こし具；茶こし具の上部面を覆って、その中心には上部に一体に突出して、容器内に位置する茶こし具を蓋と共に支持する支持棒を具備した蓋部と；茶こし具の下部から突出して、容器の下部面と同下部面との間に所定間隔を維持する下敷部と；から構成したことを特徴とする。
【００１５】
本発明の他の実施形態は、使い捨てコップや各種コップ状の容器、該容器の上部開口を覆う蓋と、所定量の茶葉をその内部に収容し、湯を注いで抽出された茶を茶葉と接触せずに回収するようにしたローダーを分離可能に一体にその内部に設けた茶器構造体であり、この茶器構造体は、使い捨てコップや各種コップ状の容器と、該容器の上部開口を覆う蓋と、所定量の茶葉を内部に収容し、湯を注いで茶が染み出るようにするローダーを具備し、前記ローダーは、茶を抽出するフィルターとして機能するように円筒部に複数の茶こし穴を形成して茶の抽出を可能にする茶こし壁と、該茶こし壁の下部の中心部に接して所定部位に複数の茶こし穴を形成した下部面とからなる茶こし具；茶こし具の上部面を覆って、その中心には上部に一体に突出して、容器内に位置する茶こし具を蓋と共に支持する支持棒と、茶こし壁の開口上端の周りから延び、容器の壁部に密着して位置するようにした第２延長部を有する覆い部と；茶こし具の下部から突出して、容器の下部面と同下部面との間に所定間隔を維持する下敷部と、その下部の円周縁から延びて容器の壁部に密着して固定されるようにした第１延長部とからなる構成したことを特徴とする。
本発明の他の実施形態は、使い捨てコップや各種コップ状の容器と、該容器の上部開口を覆う蓋と、所定量の茶葉を内部に収容し、湯を注いで茶が染み出るようにするローダーを具備した茶器構造体であり、前記ローダーは、茶葉を内蔵する深さで湯があふれないようにした遮断壁と、その上には円筒部に複数の茶こし穴を形成して湯があふれるようにして、茶の抽出が可能にした茶こし壁と、中心部に接して所定部位に複数の茶こし穴が形成され、茶こし壁の底部を提供する下部面と、該下部面の円周縁に延びて容器の壁部に接して染み出た茶の回収のための複数の第１回収孔を形成した第１延長部と、第１延長部の円周縁で複数の所定部位から延びて茶器の壁部に密着して支持されるようにした一つ以上の第１固定部とからなる下部壁を具備する茶こし具と；該茶こし具の上部に湯がその内部に装填された茶葉の上に供給されるように複数の流入穴を形成し、その中心に所定高さに突出して容器の蓋と接触することで、茶こし具を支持するように形成した支持棒を具備した上部面と、上部面の外周縁から下方に延びて茶こし壁の上部と係合するようにしたフランジと、上部面からフランジを経て延び、容器壁部に接して形成されて染み出た茶を回収する複数の第２回収孔を具備した第２延長部と、第２延長部の円周縁で所定部位から延び、茶器の壁部に密着して支持されるようにした一つ以上の第２固定部とからなる蓋部と；から構成したことを特徴とする。
【００１６】
本発明のまた他の実施形態は、容器の円筒部にほぼ中間部位から上方に円弧状の壁部に沿って延びて、バスケット状の容器になるローダーを具備したことを特徴とする。
【００１７】
本発明のまた他の実施形態は、茶器の円筒部にほぼ中間部位から上方に円弧状の壁部に沿って延びて、バスケット状の容器になる茶こし具と、該茶こし具の上端から延び、茶器の壁部に円弧上に固定されてローダーを支持する支持上端部と、から構成されることを特徴とする。
【００１８】
本発明のまた他の実施形態は、使い捨てコップや各種コップ状の容器と、該容器の上部開口を覆う蓋と、所定量の茶葉を内部に収容し、湯を注いで茶が染み出るようにするローダーを具備した茶器構造体であり、前記ローダーは、前記ローダーは、容器の蓋に支持され、その中心に湯を供給することができる切取部が形成され、その下部に外周縁に沿って所定長さに連設される係合溝を有する栓部と；円筒状胴体になり、その上端には栓部の係合溝に係合する係合突起が内周縁に沿って形成されており、中心部に接して所定部位に複数の茶こし穴が形成され、胴体の底部を形成する下部面と、該下部面の円周縁から壁部に沿って延び、所定高さ部には茶こし穴が形成されずに茶葉との接触を防止する遮断壁と、該遮断壁の上に所定高さまで円筒部に沿って延び、該円筒部には複数の茶こし穴を形成して、茶の抽出を可能にする茶こし壁とからなる茶こし具と；から構成したことを特徴とする。
【発明の効果】
【００１９】
本発明によれば、使い捨てコップを含む各種コップ状容器に着脱式や一体式でローダーを取り付けた茶器構造体を提供する。この茶器構造体は使い捨てコップなどに別体または一体に装着して茶葉などの内容物を充分に抽出し、飲用時には茶本来の味を毀損させないで維持するようにし、特に緑茶葉及びジャスミン葉を入れて抽出し、飲用後に残る苦味を無くすことができる。
【発明を実施するための最良の形態】
【００２０】
以下、添付図面を参照して本発明に係る具体的な実施形態について詳細に説明する。
【００２１】
まず、図２Ａと２Ｂに示したように、本発明の第１実施形態に係る茶器構造体１００は、基本的に使い捨てコップや各種コップ状の容器３、この容器３の上部開口を覆う蓋５と、所定量の茶葉をその内部に収容して湯を注いで茶が抽出されるようにするローダー１０を具備する。このローダー１０は茶葉４になるプーアール茶、観音茶、ジャスミン茶、白茶、緑茶、ウーロン茶、紅茶、フレーバーティー、ハーブ茶などの多様な茶を作ることができる。
【００２２】
そのために、ローダー１０は茶葉４を入れる茶こし具１１と、この茶こし具１１の上端開口部に結合される覆い部１２で構成される。
【００２３】
茶こし具１１は茶を抽出するフィルターとして機能するようにその円筒部に複数の茶こし穴１７が形成されて、茶の抽出を可能にする茶こし壁１３と、この茶こし壁１３の下部に配置されて底面をなすもので、中心部に接して所定部位に複数の茶こし穴１６を形成した下部壁１４とから構成される。茶こし具１１の上部面を覆う覆い部１２は、その中央部が上方に一体に突出しており、容器内に位置する際には容器３の蓋５と供にローダー１０を、容器３内において搖れないように支持する。
【００２４】
茶こし具１１は図２Ｂに示したように、円形断面を有する円筒状で製作することができ、容器３に入った湯が自由に流動するようにその側壁と底面には複数の茶こし穴１７及び１６が穿孔されている。また、茶こし具１１は、その茶こし壁１３から所定長さで下方に延びるもので、下部壁１４を突出して形成された脚部１５を具備する。この脚部１５はローダー１０の容器内に位置する際に、容器の底部と下部壁１４との間に所定間隔を維持する役目をする。
【００２５】
覆い部１２は茶こし具１１の上端に係合するように茶こし壁１３より直径が少し大きい断面を有する円筒状で製作することが望ましい。また、覆い部１２は茶こし壁１３の上端開口部に着脱可能に結合することで、茶こし具１１を開閉するようになっている。そのために、覆い部１２の下端には内周縁の内側で突出したリング状の突出部１８が形成されており、茶こし壁１３にもその外周面の上端に接して突出部１８とスナップ式で係合するように係止部１９が突出している。また、覆い部１２は上端の中心に支持棒９が上方に延びている。この支持棒９は茶こし具１１と結合した状態で容器３の内部に位置すれば、容器３の上端に被さる蓋５の中心部分と結合するようになる。
【００２６】
ここで、覆い部１２と茶こし具１１を結合させる突出部１８と係止部１９は、その他の構成も可能である。一例を挙げれば、覆い部１２の開口の下端の周りに複数の凹溝を形成し、この凹溝に対応して茶こし具１１の開口の上端の周りに複数の突起を形成して、凹溝と突起を互いに嵌め込んで、覆い部１２と茶こし具１１が嵌合するように構成してもよい。
【００２７】
以上のように、本発明の第１実施形態によれば、茶器構造体１００はローダー１０と蓋５を具備した容器３で構成される。それで、茶を飲むためにはローダー１０を構成している茶こし具１１に先に所定量の茶葉４を装填する。この時、茶こし具１１は覆い部１２を被せて容器３の底部のほぼ中心に位置させる。
【００２８】
それで、茶器構造体１００は容器３に位置したローダー１０に対して蓋５を覆って完成した製品に取り付けられる。そして茶器構造体１００を求得した使用者は、茶を飲むために蓋５を開いて適正量の湯を容器３の内に満たしてから、蓋５を覆って茶が抽出されるように所定の時間が経過した後、蓋５の一側に形成された飲用口２０を通じて茶を飲むことができる。
【００２９】
このような構成と類似したまた他の実施形態の茶器構造体を以下に例示する。また、重複を避けるために第１実施形態の茶器構造体と同一の要素に対しては同一の符号を付けて、それに関する説明は略する。
【００３０】
図３Ａ及び図３Ｂに示したように、この実施形態に係る茶器構造体１００は、茶こし具１１の茶こし壁１３と下部壁１４に形成した第１実施形態での茶こし穴１７と１６の代わりに、茶こし壁１３に垂直に狭い長孔である垂直スロット２１を形成し、下部壁１４にも放射状で所定角度に配設される複数の水平スロット２２を形成する。下部壁１４の下部には円周縁に所定間隔を置いて互いに対向して所定高さを有するように突出するもので、容器３の底部と所定間隔を維持する下敷部２３が形成される。その他の構成は第１実施形態の茶器構造体１００に同様である。
【００３１】
次に、図４を参照すれば、第１実施形態に係る茶器構造体のローダーと類似したまた他の実施形態に係るローダー１０が示されている。ただ、この実施形態のローダー１０において、下敷突起２４は第２実施形態の下敷部２３と類似に形成されて、下部壁１４に所定間隔を置いて複数配列される。
【００３２】
図５に示したように、第１実施形態と類似したまた他の実施形態に係る茶器構造体においては、第１実施形態の脚部１５の代わりに、ローダー１０に拡張部２５を形成する。この拡張部２５は茶こし具１１を支持するまた他の支持手段として、茶こし壁１３の下端から所定長さに延びて所定幅を有するように接しており、拡張時には円周方向に接して配列される。この拡張部２５は茶こし壁１３の外側方向に自体弾性力によって曲がれるように延びている。それで、ローダー１０は容器３内に位置する時、容器３の内壁面に拡張部２５が密着することで、容器３の壁部から所定間隔を置いて離隔した状態で支持することができる。また、この拡張部２５は、その断面部にまた別の茶こし穴が複数形成されて、この茶こし穴を通じて染み出た茶を飲むようにする。
【００３３】
図６Ａ、図６Ｂ及び図６Ｃには本発明の第１実施形態に係る茶器構造体に関するまた他の変形実施形態が示されている。この実施形態においては、ローダー１０を容器３内に位置させるまた別の方法を提示している。
【００３４】
これらの図面には、ローダー１０が茶こし具１１と支持棒９を中心に設けた覆い部１２（図２Ａないし図４）を具備する状態が明確に示されていないが、これは図２の第１実施形態の構成と同様なものであると理解しなければならない。このローダー１０は上述した実施形態における脚部１５、下敷部２３、下敷突起２４、及び拡張部２５とは異なる方式で容器３内に位置する。
【００３５】
このローダー１０は容器３の底部から突出して形成されたスペーサー２６の上に位置する。この時、スペーサー２６は底から所定間隔を置いてローダー１０の下部壁１４の中心を支持するようになる。また、ローダー１０は、その茶こし具１１の上端に接して外周縁には円状または四角状の隣接突起２７及び２８が所定数突設、または固設される。したがって、ローダー１０を容器３の内部に位置させれば、ローダー１０は隣接突起２７及び２８を介して容器３の内壁と所定間隔を置いて支持されることで、茶こしがより円滑に行うようにする。
【００３６】
また、このローダー１０は図６Ｂに示したように、上部面には複数の茶こし可能な茶こし穴１６を形成するか、図６Ｃに示したように、複数のスロット２９を放射状で一定間隔を置いて形成することができる。
【００３７】
次に、図７Ａ、図７Ｂ、及び図７Ｃに示したように、第２実施形態に係る茶器構造体では単一体に構成することができるローダー３０を例示する。このローダー３０は茶葉３４を入れる円筒状の茶こし具３１が支持棒３９と一体に構成される。茶こし具３１は衛生材質であるポリ係重合体などで作られ、茶葉３４は成型時に装填が行われたり、成型時決まった位置に所定大きさの切取部があって、茶葉３４の装填後に切取部を密封することができる。茶こし具３１は、その胴体全般にわたって複数の茶こし穴３７が形成されている。また、茶こし穴３７の下方の下部壁には複数のスロット３８が放射状に形成されている。
【００３８】
図７Ｂに示したように、茶こし具３１は、その上部中心に支持棒３９が上方に一体に延びており、その胴体の円筒部には茶こし可能な茶こし穴３７が形成されている。この支持棒３９は取っ手でも利用することができ、上述した実施形態のように容器内に位置固定する手段でも利用することができる。
【００３９】
図７Ｃに示したように、茶こし具３１は、その下部に平坦な下敷部３５が形成され、その内部の円筒部には茶の抽出が可能な複数の茶こし穴３７が形成される。
【００４０】
一方、第２実施形態と類似の実施形態においては、図８に示したように、茶こし具３１は茶の抽出が可能な茶こし穴３７の代わりに、複数のスロット３８を形成することができる。このスロット３８は茶こし具３１の外壁の円筒部に一定間隔を置いて放射状に配列され、切取高さが相違してもよい。
【００４１】
図９Ａ及び図９Ｂは本発明に係る第３実施形態に係る茶器構造体を示した断面図及び平面図である。これらの図面に示したように、茶器構造体１００は容器４１を具備し、この容器４１は、その下部の一部に所定量の茶葉４９が装填される構造のローダー４０で構成する。
【００４２】
ローダー４０はそれ自体を茶こし具４２で構成するための覆い部４３を具備する。覆い部４３は茶こしのための複数の茶こし穴４７がその全面に所定配列に分布している。この覆い部４３は、その外周縁部から上端部まで延びた多少長い帯状の支持片４４と、この支持片４４の間に支持片より短い所定の長さで形成されるフラップ４５を有する。
【００４３】
図９Ｂに示したように、覆い部４３の外周縁部には所定幅を有する支持片４４が容器４１の内側壁部の上端まで密着し、フラップ４５は支持片４４の間に位置して容器４１の内側壁部に密着する。それによって、茶器構造体４０は、図面に示さなかった蓋の使用時、蓋を取り除いた茶こし具４２の内部に茶葉４９を先に装填して、覆い部４３によって支持片４４とフラップ４５が容器４１の内壁に密着した状態で所定位置に支持される。
【００４４】
第３実施形態と類似したまた別の実施形態に係る茶器構造体が図１０Ａと図１０Ｂに断面図及び平面図に示されている。
【００４５】
図１０Ａに示したように、この実施形態に係る茶器構造体１００は容器４１の中間部位にローダー４０が独立した区画室で形成されており、この区画室には茶葉４９を装填する。このローダー４０は容器４１の下部から所定高さに位置する下部壁４６を有する茶こし具４２と、茶こし具４２の下部壁４６から上部に所定間隔を置いて離間して位置し、一定空間を形成する覆い部４３で構成される。この茶こし具４２の下部壁４６には、茶こし機能だけでなく、茶の回収機能を有する複数の第１茶こし穴４８がその断面にわたって所定配列に形成されている。この下部壁４６は、その円周縁から所定高さに上向きに延びたフランジまたはフラップ４５を具備し、このフラップ４５は容器４１の内側壁部に密着して位置するようにする。このような構成を有するフラップ４５は下部壁４６を容器４１の所定位置に支持するようになり、必要によっては別途の固定装置を用いて固定してもよい。
【００４６】
覆い部４３は、その底に、茶こし具４２の下部壁４６と対応する上部壁を具備し、この上部壁にも茶こし機能だけでなく、茶の回収機能を有する複数の第２茶こし穴４７がその断面にわたって所定配列に形成されている。覆い部４３は、その円周縁部から容器４１のほぼ上端部まで上方に延びる支持部４４を具備し、この支持部４４は容器４１の内側壁部に密着して位置する。このような構成を有する支持部４４は覆い部４３を容器４１の所定位置に支持するようになり、必要によっては別途の固定装置を用いて固定してもよい。覆い部４３は図１０Ｂに示したように、その支持部４４が容器４１の上端部の内側壁面の周りに密着することで、所定位置に支持される。
【００４７】
ここで、茶こし具４２の下部壁４６と覆い部４３の直径は、容器４１内の所定位置の直径とほぼ同一であり、多少小さな直径を有した容器４１の壁部によって支持されることが分かる。
【００４８】
次に、図１１Ａ、図１１Ｂ、及び図１１Ｃは第３実施形態と類似したまた他の実施形態に係る茶器構造体を示す断面図で、第３実施形態の茶器構造体と同一の要素に対しては同一の符号を付けてそれに関する説明は略する。
【００４９】
先に、図１１Ａに示したように、茶器構造体１００はコップ状の茶こし具兼用ローダー４０を具備する。このローダー４０は開口が容器４１の底に向けるように倒立して茶葉４９を装填するように構成され、その壁部４３’の周りには茶こし機能だけでなく、茶の回収機能をする複数の茶こし穴４７’が所定配列に形成されている。
【００５０】
次に、図１１Ｂには第３実施形態と類似したまた他の実施形態に係る茶器構造体１００が示されており、第３実施形態の茶器構造体と同一の要素に対しては同一の符号を付けてそれに関する説明は略する。
【００５１】
この茶器構造体１００は円錐形の茶こし具兼用ローダー４０を具備する。このローダー４０は開口が容器４１の底に向けるように倒立して茶葉４９を装填するように構成され、その壁部４３’の周りには茶こし機能だけでなく、茶の回収機能をする複数の茶こし穴４７’が所定配列に形成されている。
【００５２】
図１１Ｃには第３実施形態と類似したまた他の実施形態に係る茶器構造体が示されている。この実施形態において、茶器構造体１００は容器４１の下部の一部に所定量の茶葉４９を装填するローダー４０で構成される。
【００５３】
ローダー４０は覆い部４３を具備し、この覆い部４３は茶こしのための複数の茶こし穴４７がその全面にわたって所定配列に分布されている。また、覆い部４３は、その外周縁部から上端部まで延びた多少長い帯状の支持片４４が対称に形成される。この支持片４４は所定幅を持って容器４１の内側壁部の上端まで密着して覆い部４３を容器４１の内側壁部の所定位置に支持するようになる。
【００５４】
次に、本発明の第４実施形態に係る茶器構造体１００は、図１２Ａ、図１２Ｂ、及び図１２Ｃに示したように、使い捨てコップやその他のどんな容器にも適用することができる。
【００５５】
この茶器構造体１００は茶こし具５１と、この茶こし具５１を覆う蓋５２で構成される。ここで蓋５２は、後述する茶こし具５１の覆い部７０を支持するようにその中心部には突出部６１が形成され、円周縁に接した部分には茶を飲用することができるように飲用口６２が形成される。
【００５６】
容器５３には本発明の原理によって取り付けたローダー５０が設けられる。このローダー５０は茶こし具５１を具備し、茶こし具５１は茶葉装填部を形成する茶こし壁６３と、この茶こし壁６３の下部面に形成される下部壁６６とから構成される。茶こし壁６３は茶葉を内蔵する深みで湯があふれないようにした遮断壁６４と、その上では円筒部に複数の茶こし穴を形成して湯があふれるようにし、茶の抽出が可能な壁になった茶こし壁６５とからなる。下部壁６６は中心部に接して所定部位に複数の茶こし穴６７を形成した下部面６８と、この下部面６８の円周縁から延びている第１延長部６９と、第１延長部６９の円周縁に複数の所定部位から延びて茶器の壁部に密着支持される一つ以上の第１固定部７１とからなる。第１延長部６９には容器５３の内側壁部に接して複数の第１回収孔７２が形成されている。この第１延長部６９は下部面６８の水平に対して３０度〜４０度位上向きに傾いているので、染み出た茶をローダー５０内に装填した茶葉と２次接触なしに回収することができるようになる。
【００５７】
覆い部７０は茶こし具５１の上端を覆うもので、茶こし具５１の下部面６８と対応する上部面７４と、この上部面７４から延びる第２延長部７６とからなる。この第２延長部７６もその上部面７４の水平に対して３０度〜４０度位上向きに傾いているので、抽出された茶をローダー５０内に装填された茶葉と２次接触なしに回収することができるようになる。上部面７４には複数の流入穴７５が形成されており、その上であふれる湯をローダー５０の内部に装填された茶葉の上に供給する。上部面７４の中心には支持棒７３が所定高さに突出しており、この支持棒７３は茶器構造体１００の蓋５２に形成された突出部６１の内部溝または内部凹溝面に係合して、上部面７４と蓋５２との間に所定空間を提供する。また、上部面７４はフランジ７７が茶こし壁６３の上端に接して円周縁から下方に延びているので、ローダー５０の覆いとしての機能をする。即ち、このフランジ７７の下端部には内向に湾曲した突起が形成され、茶こし壁６５にはこの突起と対応する位置に凹溝が形成されており、組み立て時に突起は凹溝に係合される。このような係合は他の方式でも可能である。例えば、上部面７４の円周縁の所定位置に少なくとも２個以上の突起を形成し、この突起に対応して茶こし壁６５の上端縁の位置に凹溝を形成した後、これらを互いに係合することもよい。
【００５８】
第２延長部７６は上部面７５からフランジ７７を経て所定角度、例えば、３０度〜４０度を成しながら延び、容器５３の内側壁部に接して染み出た茶の回収のための複数の第２回収孔７８が形成されている。第２延長部７６には第２固定部７９がその円周縁に、複数の所定部位からまたは全体にわたって延びて容器５３の内側壁部に密着して支持するか、または位置してローダー５０を支持するようになる。
【００５９】
したがって、覆い部７０は上部面７４に複数の穴７５が形成されていて、茶こし具５１に湯が供給されることによって、装入した茶葉から出た湯はこの穴７５を通じて抽出するようになる。第２延長部７６には円周縁に接して第２回収孔７８が形成され、これを通じてこされた茶がそれに接した容器５３の内側壁部に沿って回収されるようにする。第２固定部７９は上部面７４の最も外周縁に所定位置、図面では相互対称される４ヶ所に所定幅で、または全体の円周縁から容器５３の内側壁部に沿って下方に所定の長さが延びている。それによって、ローダー５０を取り付ける時、第２固定部７９は茶器構造体の容器５３の内側壁部の所定位置に密着して位置する。
【００６０】
したがって、この茶器構造体１００は茶を飲むために茶葉を装填したローダー５０を容器５１の内に適当な位置に離脱できるように位置させることができ、湯をローダー５０の上部で適量供給して抽出し、充分に染み出た茶は第１延長部６９に形成した第１回収孔７２と、第２延長部７６の第２回収孔７８を通じて茶葉との２次接触なしに回収することができる。
【００６１】
一方、図面には示さなかったが、第１延長部６９及び第２延長部７６は一緒に形成するか単独で形成することができる。ローダー５０は第２延長部７６のみを具備して容器５１内に位置することができ、または脚部がその下部面６８に所定高さに支持されるように構成することもできる。第２延長部７６が単独でローダー５０を容器５３内で支持する場合、もちろん所定の堅固性を持たなければならない。また、これらの延長部から円筒部を部分的にまたは全体的に延びた第１固定部７１及び第２固定部７９は下向きに延びて容器５３の壁部に密着する代わりに、上向きに延びて容器５３の内側壁部に密着してローダー５０の位置を決めると共に、分離可能に支持するように構成することもできる。
【００６２】
図１３Ａ及び図１３Ｂには本発明の第４実施形態と類似の変形実施形態に係る茶器構造体が示されている。この実施形態において、茶器構造体１００は容器５３の内側壁部の一部円弧上に茶こし具５１を設けたローダー５０を具備する。この実施形態に係る茶器構造体において、第４実施形態の茶器構造体と同一の要素に対しては同一の符号を付けてそれに関する説明は略する。
【００６３】
この実施形態に係る茶器構造体１００は蓋５２とローダー５０を具備し、ローダー５０には蓋５２の下部で容器５３の開口を覆う密閉膜５２’と、茶こし具５１が設けられている。密閉膜５２’は蓋５２の補助機能をするもので、その対面には複数の茶こし穴が形成されて湯が流入されるように茶こし具５１の上端に結合される。この密閉膜５２’は削除可能である。
【００６４】
蓋５２の一側には茶葉で抽出された茶を回収するように穿孔した飲用口８２及び栓８０が設けられる。この栓８０はビニールまたはポリカボネート材質で作り、その上面には円周縁の隣接部位から中心を向けて切開した複数のスリット８１が形成されている。したがって、普段は密閉状態を維持する一方、飲用時には容易く切開される。
【００６５】
茶こし具５１は、その下端辺部８３の円弧が容器５３の内側壁部の所定位置の円弧と同一な形状になり、それから延びた下端フランジ８５は容器５３の内側壁部に適切に固設される。上端辺部８４は下端辺部８３から延びるか、または延びながら拡張する円弧でなり、それから延びて上端フランジ８６が形成される。上端フランジ８６は蓋５２または密閉膜５２’に対向して適切に固設されることで、茶こし具５１を容器５１内に位置させる。この茶こし具５１は全体的にバスケット状の容器でなり、一側壁８８には複数の茶こし穴８９が形成される。このような構成の茶器構造体１００はまた染み出た茶がローダー５０に装填された茶葉と分離した状態で、抽出された茶を栓８０を通じてストローを利用して飲むか、蓋５２の所定部位に形成した飲用口８２を通じて飲むようにする。
【００６６】
図１４Ａ及び図１４Ｂは本発明の第４実施形態と類似したまた別の変形実施形態に係る茶器構造体の断面図及び平面図で、第４実施形態の茶器構造体と同一の要素に対しては同一の符号を付けてそれに関する説明は略する。
【００６７】
図面に示したように、ローダー５０は茶こし具５１に対する密閉膜５２’を有していないが、その代わり延長部９０が蓋５２に接した茶こし具５１の上端部８４のすぐ下の側壁８８から容器５３の内側壁部まで延びている。この延長部９０は容器５３の内側壁部とほぼ対称する円弧になり、それから延びて固定フランジ９１が形成される。この固定フランジ９１は容器５３の内側壁部に密着するようにするローダー５０の一部で構成される。この茶こし具５１は全体的にバスケット状の容器にでき、一側壁８８には複数の茶こし穴８９が形成される。このような構成の茶器構造体１００も抽出された茶が容器内に茶葉と分離する状態になるので、抽出された茶を栓８０を通じてストローを利用するか、蓋５２の所定部位に形成した飲用口８２を通じて飲むことができる。
【００６８】
図１５Ａ及び図１５Ｂは本発明の第４実施形態と類似したまた別の変形実施形態による茶器構造体の断面図及び平面図で、第４実施形態の茶器構造体と同一の要素に対しては同一の符号を付けてそれに関する説明は略する。
【００６９】
この実施形態に係る茶器構造体１００は茶こし具５１を蓋５２に設ける栓部８０と一体に結合したローダー５０を具備する。ローダー５０は茶こし具５１を具備し、この茶こし具５１は栓部８０を介して茶器構造体１００の蓋５２に一体に結合されている。蓋５２に設けられる栓部８０は、その中心に湯を供給することができるスリット８１が形成され、その下部には円周方向に所定長さで延びる係合溝９３が形成される。この係合溝９３を通じて茶こし具５１は栓部８０に一体に係合する。蓋５２には、その円周縁に容器５３の内側壁部に接して飲用口８２が形成される。
【００７０】
茶こし具５１は円筒状の胴体になり、蓋５２の所定部位に形成された飲用口８２を通じて茶を飲用することができる。茶こし具５１の上端には係合溝９３に係合する係合突起９４が円周方向に形成されている。茶こし具５１は、その胴体底部を提供するもので、中心部に接して所定部位に複数の茶こし穴９８が形成された下部面９７と、この下部面９７の円周縁から壁部に沿って上方に延び、所定高さには茶こし穴を具備しないで茶葉との接触を防止する遮断壁９６と、この遮断壁９６上に所定高さまで延び、所定高さに複数の茶こし穴９９を具備して茶こしが可能にフィルタリングする茶こし壁９５とからなる。複数の茶こし穴９９は遮断壁９６の上に所定配列に茶こし壁９５に形成される。
【００７１】
したがって、このような構成の茶器構造体１００は染み出た茶が容器内で茶葉と分離した状態で維持され、抽出された茶は蓋５２の所定部位に形成した飲用口８２を通じて便利に飲用することができる。
【産業上の利用可能性】
【００７２】
本発明によれば、使い捨てコップを含む各種コップ状容器に着脱式や一体式でローダーを取り付けた茶器構造体を提供する。この茶器構造体は使い捨てコップなどに別体または一体に装着して茶葉などの内容物を充分に抽出し、飲用時には茶本来の味を毀損させないで維持するようにし、特に緑茶葉及びジャスミン葉を入れて抽出し、飲用後に残る苦味を無くすことができる。従って、本発明の産業利用性はきわめて高いものといえる。
【図面の簡単な説明】
【００７３】
【図１】茶の抽出が可能な茶こし具を設けた従来のコップを示した縦断面図である。
【図２】図２Ａは、本発明の第１実施形態によって茶の抽出が可能なローダーを一体に設けた茶器構造体を示す縦断面図である。図２Ｂは、図２Ａに示した茶器構造体の底面図である。
【図３】図３Ａは、本発明の第１実施形態の変形した他の実施形態で、茶の抽出が可能な茶こし穴を長い形態のスロットで形成したローダーを設けた茶器構造体を示す縦断面図である。  図３Ｂは、図３Ａに示した茶器構造体の底面図である。
【図４】本発明の第１実施形態と類似したまた他の実施形態で、茶の抽出が可能なローダーの下部にまた別の構造の下敷突起を形成した茶器構造体を示す縦断面図である。
【図５】本発明の第１実施形態と類似したまた他の実施形態で、茶の抽出が可能なローダーの下部面から延びた固定部を有する茶器構造体を示す縦断面図である。
【図６Ａ】本発明の第２実施形態によって茶の抽出が可能なローダーを一体に設けた茶器構造体を示す縦断面図である。
【図６Ｂ】図６Ａに示したローダーの底面図である。
【図６Ｃ】図６Ａに示した他の実施形態で、複数のスロットを有するローダーの底面図である。
【図７】図７Ａは、本発明の第２実施形態によって変形した茶の抽出が可能なローダーの構造を示す縦断面図である。  図７Ｂは、図７Ａに示したローダーの平面図である。  図７Ｃは、図７Ａに示したローダーの底面図である。
【図８】本発明の第２実施形態と類似したまた他の実施形態で、茶の抽出が可能なローダーの構造を示す縦断面図である。
【図９】図９Ａは、本発明の第３実施形態によって茶の抽出が可能なローダーが容器と共に茶葉を内蔵する構造を有する茶器構造体を示す縦断面図である。  図９Ｂは、図９Ａに示した茶器構造体の平面図である。
【図１０】図１０Ａは、本発明の第３実施形態と類似の変形した実施形態で、茶の抽出の可能なローダーが容器とともに茶葉を内蔵する構造を有する茶器構造体を示す縦断面図である。  図１０Ｂは、図１０Ａに示した茶器構造体の平面図である。
【図１１Ａ】本発明の第３実施形態と類似の変形実施形態に係る茶器構造体を示す縦断面図である。
【図１１Ｂ】本発明の第３実施形態と類似の変形実施形態に係る他の茶器構造体を示す縦断面図である。
【図１１Ｃ】本発明の第３実施形態と類似の変形実施形態に係るまた他の茶器構造体を示す縦断面図である。
【図１２Ａ】本発明の第４実施形態によって茶の抽出を可能にするローダーを一体に具備した茶器構造体を示した縦断面図である。
【図１２Ｂ】図１２Ａに示した茶器構造体のローダーの上部蓋を示す平面図である。
【図１２Ｃ】図１２Ａに示した茶器構造体のローダーの下部容器を示す平面図である。
【図１３】図１３Ａは、本発明の第４実施形態と類似の変形した他の実施形態で、茶の抽出を可能にするローダーを一体に具備した茶器構造体を示す縦断面図である。  図１３Ｂは、図１３Ａに示した茶器構造体のローダーの平面図である。
【図１４】図１４Ａは、本発明の第４実施形態と類似の変形した他の実施形態で、茶の抽出を可能にするローダーを一体に具備した茶器構造体を示した縦断面図である。  図１４Ｂは、図１４Ａに示した茶器構造体のローダーの平面図である。
【図１５】図１５Ａは、本発明の第４実施形態と類似の変形した他の実施形態で、茶の抽出を可能にするローダーを一体に具備した茶器構造体を示した縦断面図である。  図１５Ｂは、図１５Ａに示した茶器構造体のローダーの平面図である。
【符号の説明】
【００７４】
３    容器
４    茶葉
５    蓋
９    支持棒
１０、３０、４０、５０    ローダー
１１、３１、４２、５１    茶こし具
１２    覆い部
１３    茶こし壁
１４    下部壁
１５    脚部
１６    茶こし穴
１７    茶こし穴
１８    突出部
１９    係止部
２０    飲用口
１００    茶器構造体
【図１】
2007296307.tif 000003
【図２】
2007296307.tif 000004
【図３】
2007296307.tif 000005
【図４】
2007296307.tif 000006
【図５】
2007296307.tif 000007
【図６Ａ】
2007296307.tif 000008
【図６Ｂ】
2007296307.tif 000009
【図６Ｃ】
2007296307.tif 000010
【図７】
2007296307.tif 000011
【図８】
2007296307.tif 000012
【図９】
2007296307.tif 000013
【図１０】
2007296307.tif 000014
【図１１Ａ】
2007296307.tif 000015
【図１１Ｂ】
2007296307.tif 000016
【図１１Ｃ】
2007296307.tif 000017
【図１２Ａ】
2007296307.tif 000018
【図１２Ｂ】
2007296307.tif 000019
【図１２Ｃ】
2007296307.tif 000020
【図１３】
2007296307.tif 000021
【図１４】
2007296307.tif 000022
【図１５】
2007296307.tif 000023